(57)【要約】【課題】雨天時においても観光客を容易に案内することが可能な、傘用旗付け具および傘用案内具を提供する。【解決手段】傘用旗付け具２０は、傘１の頂部２に着脱可能に取り付けられる取付部材３０と、取付部材３０上に設けられ、旗５０が取り付けられる旗取付棒４０とを備えている。【選択図】図１
2019191367.tif 000002
【特許請求の範囲】
【請求項１】
傘の頂部に着脱可能に取り付けられる取付部材と、
前記取付部材上に設けられ、旗が取り付けられる旗取付棒とを備える、傘用旗付け具。
【請求項２】
前記取付部材は、傘の頂部のねじ山に着脱可能に螺合可能なねじ部を有する、請求項１に記載の傘用旗付け具。
【請求項３】
前記取付部材は、傘の頂部が挿入される挿入孔を有する、請求項１に記載の傘用旗付け具。
【請求項４】
前記取付部材のうち、少なくとも前記挿入孔の周囲は、弾性体からなる、請求項３に記載の傘用旗付け具。
【請求項５】
前記旗取付棒は、前記取付部材に対して回動自在に設けられ、前記旗取付棒は、前記取付部材に対して回動することにより、前記旗の使用時に前記旗を立ち上げる旗立ち上げ位置と、前記旗の不使用時に前記旗を収納する旗折り畳み位置とをとる、請求項１乃至４のいずれか一項に記載の傘用旗付け具。
【請求項６】
請求項１乃至５のいずれか一項に記載の傘用旗付け具と、
前記傘用旗付け具の前記旗取付棒に取り付けられた前記旗とを備える、傘用案内具。
【請求項７】
前記旗は、前記旗取付棒に対して、熱溶着されている、請求項６に記載の傘用案内具。
【発明の詳細な説明】
【技術分野】
【０００１】
本発明は、傘用旗付け具および傘用案内具に関する。
【背景技術】
【０００２】
従来から、観光地では、観光客を案内する案内者は、観光客のグループ名等が記載された旗を使用して、観光客を案内している。この際、案内者が使用する道具として、伸縮自在で回転可能なミゾ付きの旗竿と、この旗竿に収容可能な旗とを備えた旗収容式ミゾ付き旗竿が知られている（例えば、特許文献１）。この旗収容式ミゾ付き旗竿は、使用する場合には旗竿の先端部を引き出して旗を広げ、使用しない場合には先端部を回して旗竿に旗を収容するように構成されている。
【先行技術文献】
【特許文献】
【０００３】
【特許文献１】特開平３−２５０１６６号公報
【発明の概要】
【発明が解決しようとする課題】
【０００４】
しかしながら、特許文献１に示す旗収容式ミゾ付き旗竿では、雨天時には、案内者は傘をさしながら旗竿を持つ必要がある。この場合、案内者の衣類や腕が雨に濡れてしまうといった問題があり、雨天時には案内者が旗竿を持ちながら観光客を案内することが困難である。また、案内者が旗を用いることなく観光客を案内する場合、混み合う観光地では、観光客が案内者を見失ってしまうといった問題がある。
【０００５】
本発明は、このような点を考慮してなされたものであり、雨天時においても観光客を容易に案内することが可能な、傘用旗付け具および傘用案内具を提供することを目的とする。
【課題を解決するための手段】
【０００６】
本発明は、傘の頂部に着脱可能に取り付けられる取付部材と、前記取付部材上に設けられ、旗が取り付けられる旗取付棒とを備える、傘用旗付け具である。
【０００７】
本発明は、前記取付部材は、傘の頂部のねじ山に着脱可能に螺合可能なねじ部を有する、傘用旗付け具である。
【０００８】
本発明は、前記取付部材は、傘の頂部が挿入される挿入孔を有する、傘用旗付け具である。
【０００９】
本発明は、前記取付部材のうち、少なくとも前記挿入孔の周囲は、弾性体からなる、傘用旗付け具である。
【００１０】
本発明は、前記旗取付棒は、前記取付部材に対して回動自在に設けられ、前記旗取付棒は、前記取付部材に対して回動することにより、前記旗の使用時に前記旗を立ち上げる旗立ち上げ位置と、前記旗の不使用時に前記旗を収納する旗折り畳み位置とをとる、傘用旗付け具である。
【００１１】
本発明は、本発明による傘用旗付け具と、前記傘用旗付け具の前記旗取付棒に取り付けられた前記旗とを備える、傘用案内具である。
【００１２】
本発明は、前記旗は、前記旗取付棒に対して、熱溶着されている、傘用案内具である。
【発明の効果】
【００１３】
本発明によれば、雨天時においても観光客を容易に案内することができる。
【図面の簡単な説明】
【００１４】
【図１】図１は、第１の実施の形態による傘用案内具を示す部分垂直断面図である。
【図２】図２（ａ）−（ｃ）は、第１の実施の形態による傘用案内具の使用方法を示す正面図である。
【図３】図３（ａ）−（ｂ）は、第１の実施の形態による傘用案内具の変形例を示す正面図である。
【図４】図４（ａ）は、第１の実施の形態による傘用案内具の変形例を示す正面図であり、図４（ｂ）は、第１の実施の形態による傘用案内具の他の変形例を示す斜視図であり、図４（ｃ）は、第１の実施の形態による傘用案内具の更に他の変形例を示す斜視図である。
【図５】図５は、第２の実施の形態による傘用案内具を示す部分垂直断面図である。
【図６】図６（ａ）−（ｃ）は、第２の実施の形態による傘用案内具の使用方法を示す正面図である。
【図７】図７は、第２の実施の形態による傘用案内具の変形例を示す正面図である。
【発明を実施するための形態】
【００１５】
（第１の実施の形態）
以下、本発明の第１の実施の形態について、図１及び図２を参照して説明する。なお、以下の各図において、同一部分には同一の符号を付しており、一部詳細な説明を省略する場合がある。また、本明細書中、「上」および「下」とは、それぞれ傘１の頂部２を鉛直方向上方に向けた状態（図１）における上方および下方のことをいう。
【００１６】
まず、図１により、本実施の形態による傘用案内具１０について説明する。この傘用案内具１０は、傘１に取り付けられることにより、観光客や、様々な施設に訪れた来場者（以下、観光客等と記す）を案内するためのものである。なお、本実施の形態において、傘１は折り畳み可能な折傘であり、傘１の頂部２に、カバー３（図２（ａ）参照）によって螺合されるねじ山４が形成されている。傘１は、従来から用いられる一般的なものであっても良い。
【００１７】
図１に示すように、傘用案内具１０は、傘１に取り付けられる傘用旗付け具２０と、傘用旗付け具２０の後述する旗取付棒４０に取り付けられた旗５０とを備えている。
【００１８】
このうち傘用旗付け具２０は、傘１の頂部２に着脱可能に取り付けられる取付部材３０と、取付部材３０上に設けられ、旗５０が取り付けられる旗取付棒４０とを備えている。このうち取付部材３０は、傘１の頂部２のねじ山４に着脱可能に螺合可能なねじ部３１を有している。ねじ部３１は、一般的な傘１のねじ山４に螺着可能なねじ径を有するねじ、例えば１／４インチねじとしても良い。この場合、傘用旗付け具２０を一般的な傘１にそのまま取り付けることが可能になる。このような取付部材３０の材料としては、例えば熱可塑性樹脂等のプラスチックや、アルミニウム等の軽金属を用いることができる。
【００１９】
また、旗取付棒４０は、取付部材３０に取り付けられており、傘１の長手方向軸線Ｘ１に沿って延びている。この旗取付棒４０は、全体として略均一な径をもつ円柱形状を有している。しかしながら、これに限られるものではなく、旗取付棒４０が四角柱形状等の多角柱形状を有していても良い。また、旗取付棒４０は、中空状に形成されていてもよく、中実状に形成されていても良い。旗取付棒４０が中空状に形成されている場合、旗取付棒４０の重量を小さくすることができ、案内者が傘用案内具１０を容易に取り扱うことができるようになる。このような旗取付棒４０の材料としては、例えば熱可塑性樹脂等のプラスチックや、アルミニウム等の軽金属を用いることができる。なお、この旗取付棒４０は、上述した取付部材３０と一体に成形されていても良く、あるいは旗取付棒４０は、取付部材３０とは個別の部材から構成されていても良い。また、取付部材３０および旗取付棒４０がそれぞれ個別の部材から構成されている場合、取付部材３０および旗取付棒４０は、取付部材３０および旗取付棒４０に図示しないねじ部を形成することにより、互いに螺着するようになっていても良い。また、取付部材３０および旗取付棒４０がそれぞれ個別の部材から構成されている場合、取付部材３０および旗取付棒４０は、例えば接着剤等により互いに結合されていても良い。このような旗取付棒４０の長さは、例えば３００ｍｍ以上４００ｍｍ以下程度とすることができる。
【００２０】
次に、旗５０について説明する。旗５０は、旗取付棒４０に取り付けられており、本実施の形態においては、旗５０は、旗取付棒４０に対して、熱溶着されている。旗５０が熱溶着により旗取付棒４０に取り付けられることにより、旗５０が雨や風に晒されることによって旗取付棒４０から取り外される不具合を抑制することができる。
【００２１】
この旗５０は、全体として略矩形状の形状を有しており、予め文字、絵柄等の印刷が施されていている。このように旗５０に文字、絵柄等の印刷が施されていることにより、旗５０を目印に観光客等を案内することができるようになっている。この場合、印刷は、例えばダイレクト昇華印刷法等の印刷法により、無地の旗５０に施されても良い。このような旗５０の寸法は、例えば高さ（図１に示す上下方向の長さ）１５０ｍｍ×幅（図１に示す左右方向の長さ）２００ｍｍ程度とすることができる。この旗５０に用いられる生地としては、例えばポリエステル、ナイロン等の材料からなる生地や、ポリエステルおよび綿からなる繊維を混紡した生地をもちいることができる。一例として、旗５０に用いられる生地としては、例えばポリエステルからなるテトロンポンジを用いることができる。テトロンポンジは、薄くて軽い生地であるため、旗５０に用いられる生地としてテトロンポンジを用いることにより、案内者が傘用案内具１０を容易に取り扱うことができるようになる。また、テトロンポンジは、透過性が高いため、旗５０の片面から印刷を施すことにより、当該片面の反対側からでも旗５０に印刷された文字等を視認することができる。
【００２２】
また、旗５０には、形状保持部材５１が取り付けられており、旗５０が雨や風に晒された場合であっても、旗５０の形状が略一定に保たれるようになっている。本実施の形態においては、旗５０には、２つの形状保持部材５１が取り付けられており、一方の形状保持部材５１は、旗５０の上端部近傍に設けられ、旗５０の幅方向（図１の左右方向）に沿って延びている。また、他方の形状保持部材５１は、旗５０の一対の側端部のうち、旗取付棒４０の側とは反対側の側端部近傍に設けられ、旗５０の高さ方向（図１の上下方向）に沿って延びている。なお、形状保持部材５１の個数は任意であり、形状保持部材５１が旗５０の４辺近傍に設けられていても良い。この形状保持部材５１の材料としては、形状記憶性能を有する線状樹脂、例えば、三井化学株式会社製、テクノロート（商品名）等や、針金等を用いることができる。
【００２３】
次に、このような構成からなる本実施の形態の作用について説明する。ここでは、傘用案内具１０の使用方法について説明する。
【００２４】
まず、傘用旗付け具２０を準備する。この際、取付部材３０および旗取付棒４０を例えば射出成形により一体に形成することにより傘用旗付け具２０を作製しても良く、または取付部材３０および旗取付棒４０を、それぞれ個別の部材として作製した後に、取付部材３０に旗取付棒４０を取り付けても良い。
【００２５】
また、旗５０を準備する。この際、旗５０に、例えばダイレクト昇華印刷により、観光客等を案内する際の目印となる文字、絵柄等を印刷する。次に、旗５０に形状保持部材５１を取り付ける。形状保持部材５１としては、形状記憶性能を有する線状樹脂、例えば、三井化学株式会社製、テクノロート（商品名）等を用いることが好ましい。これにより、旗５０が雨や風に晒された場合であっても、旗５０の形状を略一定に保つようにすることができる。
【００２６】
次に、旗５０を傘用旗付け具２０の旗取付棒４０に取り付ける。この場合、旗５０は、例えば熱溶着により、旗取付棒４０に取り付けられる。なお、旗５０は、傘用旗付け具２０が傘１に取り付けられた後に、傘用旗付け具２０の旗取付棒４０に取り付けられても良い。
【００２７】
このようにして、傘用案内具１０が得られる。
【００２８】
次に、図２（ａ）に示すように、傘１を準備し、傘１の頂部２に設けられたカバー３を取り外す。これにより、傘１の頂部２のねじ山４が露出する。
【００２９】
次いで、傘１のねじ山４に傘用旗付け具２０の取付部材３０のねじ部３１を螺合させる。このようにして、図２（ｂ）に示すように、傘用案内具１０が傘１に螺着する。
【００３０】
次に、図２（ｃ）に示すように、案内者が傘１をさす。この際、傘１の頂部２に傘用案内具１０が螺着されているため、観光客等は、雨天時においても傘用案内具１０の旗５０を容易に視認することができる。このため、案内者が雨天時においても観光客等を容易に案内することができる。また、案内者は、観光客を案内するために余計な旗竿を持つ必要がない。このため、案内者の衣類や腕が雨に濡れてしまうことを抑制することができる。
【００３１】
また、案内者は、天候が回復し雨が止んだ場合には、傘用案内具１０を傘１から取り外し、傘１を用いることなく、傘用案内具１０により観光客等を案内することもできる。なお、晴天時には、案内者は、傘用案内具１０を日傘に取り付けて使用しても良い。
【００３２】
以上説明したように、本実施の形態によれば、傘用旗付け具２０が、傘１の頂部２に着脱可能に取り付けられる取付部材３０と、取付部材３０上に設けられ、旗５０が取り付けられる旗取付棒４０とを備えている。これにより、傘１の頂部２に傘用旗付け具２０を取離付けた状態で、案内者が傘１をさすことにより、観光客等が、傘用旗付け具２０の旗取付棒４０に取り付けられた旗５０を容易に視認することができる。また、案内者は、観光客を案内するために余計な旗竿を持つ必要がない。このため、案内者は、雨天時においても、衣類や腕を雨に濡らすことなく、観光客等を案内することができる。
【００３３】
また、本実施の形態によれば、取付部材３０は、傘１の頂部２のねじ山４に着脱可能に螺合することが可能なねじ部３１を有している。これにより、強風等により傘１が破損した場合であっても、傘用旗付け具２０を異なる傘に付け替えることにより、継続して観光客等を案内することができる。
【００３４】
さらに、本実施の形態によれば、旗５０が、旗取付棒４０に対して、熱溶着されている。これにより、旗５０が雨や風に晒されることによって、旗５０が旗取付棒４０から取り外されてしまう不具合を抑制することができる。
【００３５】
なお、本実施の形態において、傘１が折り畳み可能な折傘である例について説明したが、これに限られるものではない。例えば、図３（ａ）に示すように、傘１が長傘であっても良い。この場合、傘用旗付け具２０の取付部材３０は、傘１の頂部（石突き）２が挿入される挿入孔３１ａを有している。この挿入孔３１ａは、取付部材３０に設けられた貫通孔であっても良い。この場合においても、傘１に傘用旗付け具２０を着脱自在に取り付けることができ、案内者が、雨天時においても、衣類や腕を雨に濡らすことなく、観光客等を案内することができる。なお、この場合、図３（ｂ）に示すように、取付部材３０のうち、少なくとも挿入孔３１ａの周囲は、弾性体３１ｂからなっていても良い。この場合、弾性体３１ｂは、例えばスチレン系エラストマー等の熱可塑性エラストマーであっても良い。この場合、挿入孔３１ａが傘１の頂部２に密着することにより、傘用旗付け具２０が、傘１から容易に取り外されないようにすることができる。また、取付部材３０のうち、少なくとも挿入孔３１ａの周囲が弾性体３１ｂからなっている場合、様々な傘１の頂部２の寸法に対応することができる。また、この際、図３（ａ）に示すように、旗取付棒４０は、旗取付棒４０の中心軸線Ｘ２が、傘１の長手方向軸線Ｘ１から所定の距離だけずれた位置に設けられていても良い。これにより、傘１の頂部２が挿入孔３１ａから上方に突出した場合であっても、傘１の頂部２と旗取付棒４０とが干渉する不具合を回避することができる。
【００３６】
また、本実施の形態において、旗５０が、旗取付棒４０に対して、熱溶着されている例について説明したが、これに限られるものではない。例えば、図４（ａ）に示すように、旗５０が、紐等からなる固定部材６０によって旗取付棒４０に取り付けられていても良い。この場合、例えば、旗５０の一対の側端部のうち、旗取付棒４０の側の側端部近傍に、固定部材６０を通す貫通孔５２を形成し、当該貫通孔５２に通した固定部材６０を旗取付棒４０に結びつけることにより、旗５０を旗取付棒４０に取り付けることができる。なお、この場合、貫通孔５２は、旗５０の当該側端部近傍に少なくとも２箇所設けられていることが好ましい。これにより、旗５０の形状が風に晒されることによって変形することを抑制することができ、旗５０に印刷された文字等の視認性を向上させることができる。
【００３７】
また、図４（ｂ）に示すように、旗５０が旗取付棒４０に被せられるように設けられていても良い。この場合、旗５０には、旗５０の一方の側端部の近傍を折り畳み、重ね合わされた旗５０同士を、縫い目５０ａに沿って縫い合わせることにより、旗取付棒４０を挿入するための挿入部５３が形成されている。このような構成により、挿入部５３に旗取付棒４０を挿入することによって、旗５０が旗取付棒４０に被せられることができるようになっている。なお、旗取付棒４０は、挿入部５３内において、接着剤により旗５０に接着されても良い。また、旗５０は、上端部、下端部および一対の側端部の近傍において折り畳まれ、重ね合わされた旗５０同士が、縫い目５０ｂに沿って縫い合わされていても良い。なお、この際、旗５０のうち、折り畳まれた部分の長さＬは、例えば１０ｍｍ以上２０ｍｍ以下程度、一例として１５ｍｍであっても良い。また、この際、形状保持部材５１は、重ね合わされた旗５０同士の間に配置されていても良い。さらに、この場合、重ね合わされた旗５０同士の間に配置された形状保持部材５１の一部が、旗５０の幅方向に沿って配置され、旗５０とともに折り畳まれることにより、旗取付棒４０を周状に取り囲むように構成されていても良い。
【００３８】
さらに、図４（ｃ）に示すように、旗５０は、上端部、下端部および一対の側端部の近傍において折り畳まれていなくても良い。また、図４（ａ）を用いて説明したように、旗５０の一対の側端部のうち、旗取付棒４０の側の側端部近傍に、貫通孔５２を形成し、当該貫通孔５２に通した固定部材６０を旗取付棒４０に結びつけることにより、旗５０を旗取付棒４０に取り付けても良い。さらに、旗５０は、複数の部材から構成されていても良い。例えば、挿入部５３を構成する部分と、文字等の印刷が施される部分とが別個の部材から構成されていても良い。
【００３９】
（第２の実施の形態）
次に、図５及び図６を参照して本発明の第２の実施の形態について説明する。図５及び図６は本発明の第２の実施の形態を示す図である。図５及び図６に示す第２の実施の形態は、主として、旗取付棒が、取付部材に対して回動自在に設けられている点が第１の実施の形態と異なるものである。図５及び図６において、第１の実施の形態と同一部分には同一の符号を付して詳細な説明は省略する。
【００４０】
図５に示すように、本実施の形態による旗取付棒４０は、取付部材３０に対して回動自在に設けられている。この旗取付棒４０は、取付部材３０に対して回動することにより、旗５０の使用時に旗５０を立ち上げる旗立ち上げ位置と、旗５０の不使用時に旗５０を収納する旗折り畳み位置（図５の仮想線（二点鎖線）参照）とをとる。この場合、旗立ち上げ位置においては、正面視において、旗取付棒４０は、旗取付棒４０の中心軸線Ｘ２が、傘１の長手方向軸線Ｘ１に平行となるように、取付部材３０の上方へ延びることが好ましい。これにより、観光客等が、旗取付棒４０に取り付けられた旗５０を容易に視認できるようにすることができる。また、この際、旗取付棒４０は、図示しない固定手段により、旗立ち上げ位置に固定されるように構成されていても良い。
【００４１】
一方、旗折り畳み位置においては、正面視において、旗取付棒４０は、旗取付棒４０の中心軸線Ｘ２が、傘１の長手方向軸線Ｘ１に平行となるように、取付部材３０の下方へ延びることが好ましい。これにより、傘用案内具１０が取り付けられた傘１をコンパクトに収納することができる。
【００４２】
また、旗取付棒４０は、回動部材４１を介して取付部材３０の後述する取付部３３に取り付けられている。さらに、回動部材４１には、回動軸４２が設けられており、旗取付棒４０は、回動軸４２の中心軸線を中心に、取付部材３０に対して回動自在に構成されている。この中心軸線は、旗取付棒４０の中心軸線X２に対して直交する方向（図５の紙面に垂直な方向）に延びている。このような回動部材４１および回動軸４２の材料としては、例えば熱可塑性樹脂等のプラスチックや、アルミニウム等の軽金属を用いることができる。なお、旗取付棒４０、回動部材４１および回動軸４２は、一体に成形されていても良く、旗取付棒４０、回動部材４１および回動軸４２は個別の部材から構成されていても良い。
【００４３】
また、取付部材３０は、傘１の頂部２のねじ山４に螺着する螺着部３２と、螺着部３２上に設けられ、旗取付棒４０の回動軸４２が取り付けられる取付部３３とを有している。このうち螺着部３２には、傘１の頂部２のねじ山に螺合する、上述したねじ部３１が設けられている。一方、取付部３３には、旗取付棒４０の回動軸４２が挿入される挿入穴３４が形成されており、回動軸４２が挿入穴３４に挿入されることにより、旗取付棒４０が取付部３３に取り付けられるようになっている。この挿入穴３４は、正面視において、傘１の外縁よりも、傘１の長手方向軸線Ｘ１に直交する方向（図５の左右方向）において外側に位置するように設けられていることが好ましい。これにより、上述したように、旗取付棒４０が旗折り畳み位置をとった際に、傘１の長手方向軸線Ｘ１と旗取付棒４０の中心軸線Ｘ２とを略平行にすることができ、傘用案内具１０が取り付けられた傘１をコンパクトに収納することができる。このような螺着部３２および取付部３３の材料としては、例えば熱可塑性樹脂等のプラスチックや、アルミニウム等の軽金属を用いることができる。なお、螺着部３２および取付部３３は、一体に成形されていても良く、螺着部３２および取付部３３は個別の部材から構成されていても良い。
【００４４】
次に、本実施の形態による傘用案内具１０の使用方法について説明する。
【００４５】
本実施の形態による傘用案内具１０を使用する際、まず、傘１のねじ山４に取付部材３０の螺着部３２のねじ部３１を螺合させる（図６（ａ）参照）。この際、旗取付棒４０は、旗折り畳み位置をとっている。なお、旗取付棒４０は、傘１に取付部材３０の螺着部３２を螺着させた際に、旗立ち上げ位置をとっていても良い。
【００４６】
次いで、案内者は、傘１を開く前に、旗取付棒４０を旗立ち上げ位置まで回動させる（図６（ｂ）参照）。この際、旗取付棒４０は、回動部材４１に設けられた回動軸４２の中心軸線を中心として、旗立ち上げ位置まで取付部材３０に対して回動する。なお、旗取付棒４０は、図示しない固定手段により、旗立ち上げ位置に固定されても良い。
【００４７】
次に、案内者が傘１をさす（図６（ｃ）参照）。この際、旗取付棒４０が旗立ち上げ位置にあるため、観光客等は、雨天時においても傘用案内具１０の旗５０を容易に視認することができる。このため、案内者が雨天時においても観光客等を容易に案内することができる。
【００４８】
また、案内者は、バス等の移動手段に乗り込む際には、傘１を閉じた後、旗取付棒４０を回動させ、旗取付棒４０を旗折り畳み位置まで回動させる。この際、旗取付棒４０の回動軸４２は、傘１を折り畳んだ際に、正面視において、傘１の外縁よりも、傘１の長手方向軸線Ｘ１に直交する方向（図５の左右方向）において外側に位置するように設けられている。これにより、旗取付棒４０が旗折り畳み位置をとった際に、傘１の長手方向軸線Ｘ１と旗取付棒４０の中心軸線Ｘ２とを略平行にすることができる。このため、傘用案内具１０が取り付けられた傘１をコンパクトに収納することができる。
【００４９】
さらに、本実施の形態においても、案内者は、天候が回復し雨が止んだ場合には、傘用案内具１０を傘１から取り外すことにより、傘１を用いることなく、傘用案内具１０により観光客等を案内することもできる。
【００５０】
以上説明したように、本実施の形態によれば、旗取付棒４０が、取付部材３０に対して回動自在に設けられ、取付部材３０に対して回動することにより、旗５０の使用時に旗５０を立ち上げる旗立ち上げ位置と、旗５０の不使用時に旗５０を収納する旗折り畳み位置とをとる。これにより、雨天時においては、案内者は傘１をさしながら観光客等を案内することができるとともに、バス等の移動手段に乗っている場合には、傘用案内具１０が取り付けられた傘１をコンパクトに収納することができる。
【００５１】
なお、本実施の形態においても、図７に示すように、傘１が長傘であっても良い。この場合においても、図３を用いて説明したように、傘１に傘用旗付け具２０を着脱自在に取り付けることができる。これにより、雨天時においては、案内者は傘１をさしながら観光客等を案内することができるとともに、バス等の移動手段に乗っている場合には、傘用案内具１０が取り付けられた傘１をコンパクトに収納することができる。
【００５２】
上記各実施の形態および変形例に開示されている複数の構成要素を必要に応じて適宜組合せることも可能である。あるいは、上記各実施の形態および変形例に示される全構成要素から幾つかの構成要素を削除してもよい。
【符号の説明】
【００５３】
１      傘
２      頂部
１０    傘用案内具
２０    傘用旗付け具
３０    取付部材
３１    ねじ部
３１ａ  挿入孔
４０    旗取付棒
５０    旗
【図１】
2019191367.tif 000003
【図２】
2019191367.tif 000004
【図３】
2019191367.tif 000005
【図４】
2019191367.tif 000006
【図５】
2019191367.tif 000007
【図６】
2019191367.tif 000008
【図７】
2019191367.tif 000009